(57)【要約】【課題】低価格かつ撮影条件や撮影画像を確認し易い放射線画像撮影システムを提供する。【解決手段】放射線画像撮影システム１００の放射線画像撮影装置２は、放射線を受けることで放射線の線量に応じた量の電荷を発生させる複数の放射線検出素子が二次元状に配列された基板を有する放射線検知部２２と、複数の放射線検出素子がそれぞれ発生させた電荷量を信号値として読み出し、各信号値に基づいて画像データを生成する読み出し部２３と、読み出し部２３が生成した画像データを記憶する記憶部２５と、記憶部２５に記憶された画像データを携帯端末３へ送信することが可能であるとともに、外部装置へ送信することが可能な通信手段と、を備える。【選択図】図５
2019017760.tif 000002
【特許請求の範囲】
【請求項１】
放射線を受けることで放射線の線量に応じた量の電荷を発生させる複数の放射線検出素子が二次元状に配列された基板を有する放射線検知部と、
前記複数の放射線検出素子がそれぞれ発生させた電荷量を信号値として読み出し、各信号値に基づいて画像データを生成する読み出し部と、
前記読み出し部が生成した前記画像データを記憶する記憶部と、
前記記憶部に記憶された画像データを、外部端末へ送信することが可能であるとともに、外部装置へ送信することが可能な通信手段と、を備えることを特徴とする放射線画像撮影装置。
【請求項２】
前記画像データに所定の画像処理を施して処理済画像データを生成する画像処理手段を備え、
前記記憶部は、前記画像処理手段が生成した処理済画像データを記憶可能であり、
前記通信手段は、前記処理済画像データを、外部端末へ送信することが可能であるとともに、外部装置へ送信することが可能であることを特徴とする請求項１に記載の放射線画像撮影装置。
【請求項３】
前記通信手段は、前記外部装置から、撮影オーダー情報、過去の前記画像データ、過去の前記処理済画像データの少なくともいずれかを取得することが可能に構成されていることを特徴とする請求項２に記載の放射線画像撮影装置。
【請求項４】
前記外部端末は、ウェブブラウザを有するとともに、前記放射線画像撮影装置と通信可能な外部端末を備え、
前記放射線画像撮影装置は、前記外部端末からの要求に応じて、前記処理済画像データに基づく表示用画像を含むウェブコンテンツを生成するコンテンツ生成手段を備え、
前記通信手段は、前記コンテンツ生成手段が生成したウェブコンテンツのデータを前記外部端末へ送信することを特徴とする請求項２又は３に記載の放射線画像撮影装置。
【請求項５】
前記コンテンツ生成手段は、生成するウェブコンテンツに、前記撮影オーダー情報を含めることが可能であることを特徴とする請求項４に記載の放射線画像撮影装置。
【請求項６】
前記コンテンツ生成手段は、前記ウェブコンテンツのデータに、ウェブブラウザ上で実行可能な処理プログラムを含めることが可能であることを特徴とする請求項４又は５に記載の放射線画像撮影装置。
【請求項７】
請求項１から６のいずれか一項に記載の放射線画像撮影装置と、
表示部を有するとともに、前記放射線画像撮影装置と通信可能に接続された携帯端末と、を備えることを特徴とする放射線画像撮影システム。
【発明の詳細な説明】
【技術分野】
【０００１】
本発明は、放射線画像撮影装置及びこの装置を備える放射線画像撮影システムに関する。
【背景技術】
【０００２】
近年、可搬型の放射線画像撮影システムが開発されている。この可搬型の放射線画像撮影システムは、パネル状の放射線画像撮影装置（ＦＰＤ（Flat Panel Detector）とも称される）や、放射線照射装置が積載された回診車等で構成されるのが一般的である。このシステムを用いれば、ユーザー（放射線技師等）が撮影現場へ当該システムを持って出向き、その場で撮影・画像確認などの一連の操作を行うことができる。このため、移動することが困難な患者の放射線画像撮影を容易に行うことが可能となる。
具体的には、例えば、表示部を有するパネル型の放射線画像撮影装置を備え、撮影条件や撮影した画像を表示部に表示する、といったものが提案されている（特許文献１参照）。
【先行技術文献】
【特許文献】
【０００３】
【特許文献１】特開２０１０−０５１５２３号公報
【発明の概要】
【発明が解決しようとする課題】
【０００４】
特許文献１に記載された放射線画像撮影システムは、各種情報の管理や、画像データの処理、画像データの外部システムへの出力等を行うのに、コンソールを必要とする。このため、放射線画像撮影システムが非常に高価なものとなってしまい、小病院等での導入が困難となっていた。
また、特許文献１の放射線画像撮影装置は、表示部を一体のものとしているため、撮影の仕方によっては（例えば、ベッドとそこに横たわる患者との間に挟み込んで使用する場合等に）、表示部が確認しにくくなる場合がある。
【０００５】
本発明は、上記問題点に鑑みてなされたもので、低価格かつ撮影条件や撮影画像を確認し易い放射線画像撮影システムを提供することを目的とする。
【課題を解決するための手段】
【０００６】
上記課題を解決するため、本発明に係る放射線画像撮影装置は、
放射線を受けることで放射線の線量に応じた量の電荷を発生させる複数の放射線検出素子が二次元状に配列された基板を有する放射線検知部と、
前記複数の放射線検出素子がそれぞれ発生させた電荷量を信号値として読み出し、各信号値に基づいて画像データを生成する読み出し部と、
前記読み出し部が生成した前記画像データを記憶する記憶部と、
前記記憶部に記憶された画像データを、外部端末へ送信することが可能であるとともに、外部装置へ送信することが可能な通信手段と、を備えることを特徴とする。
【発明の効果】
【０００７】
本発明によれば、低価格かつ撮影条件や撮影画像を確認し易い放射線画像撮影システムが得られる。
【図面の簡単な説明】
【０００８】
【図１】本発明の実施形態に係る放射線画像撮影システムの概略構成図である。
【図２】図１の放射線画像撮影システムを構成する放射線画像撮影装置の構成を表すブロック図である。
【図３】図１の放射線画像撮影システムを構成する携帯端末の構成を表すブロック図である。
【図４】図３の携帯端末が有する表示部に表示されるリスト画面及びメイン画面の一例である。
【図５】図１の放射線画像撮影システムの動作を表すラダーチャートである。
【図６】変形例に係る放射線画像撮影システムの動作を表すラダーチャートである。
【発明を実施するための形態】
【０００９】
以下、図を参照して本発明の実施の形態について詳細に説明する。ただし、発明の範囲は、図示例に限定されるものではない。
【００１０】
〔放射線画像撮影システムの構成〕
まず、本実施形態に係る放射線画像撮影システム１００の構成について説明する。図１は、本実施形態の放射線画像撮影システム１００の概略構成図である。
本実施形態の放射線画像撮影システム１００は、図１に示したように、放射線照射装置１や、放射線画像撮影装置２、携帯端末３等で構成されている。
また、放射線画像撮影システム１００は、コンソールを必要とせず、放射線科情報システム（Radiology Information System：ＲＩＳ）や、画像保存通信システム（Picture Archiving and Communication System：ＰＡＣＳ）等と直接通信することが可能となっている。
【００１１】
放射線照射装置１は、ジェネレーター１１、放射線源１２、操作卓１３等を備えている。
ジェネレーター１１は、コンソール４によって設定された管電圧や管電流、照射時間（ｍＡｓ値）等に応じた電圧を放射線源１２に印加するようになっている。
放射線源１２は、放射線を生成可能な図示しない回転陽極や回転陽極に電子ビームを照射するフィラメント等を有しており、ジェネレーター１１から印加された電圧に応じた線量の放射線Ｘを発生させる。
操作卓１３は、ユーザー（放射線技師等）が操作可能な操作部や曝射スイッチを備えている。そして、操作卓１３は、操作部が操作されたことに基づいて、各種撮影条件（管電圧や管電流、照射時間、電流時間積等の放射線の照射に関する条件）を設定することが可能となっている。また、操作卓１３は、曝射スイッチが操作されたことに基づいて、ジェネレーター１１に対し放射線の照射開始（電圧の印加）等を指示するようになっている。
放射線照射装置１は、回診車に組み込まれて、移動可能に構成されることもある。
【００１２】
放射線画像撮影装置２は、放射線照射装置１から放射線の照射を受けると、画像データを読み出すように構成されている。そして、読み出した画像データを自身で保持したり携帯端末３へ送信したりするようになっている。
放射線画像撮影装置２は、撮影台と一体化された専用機型のものでも、可搬型（カセッテ型）のものであっても差し支えないが、放射線照射装置１を移動可能に構成する場合には、可搬型とすることが好ましい。
なお、放射線画像撮影装置２の詳細については後述する。
【００１３】
携帯端末３は、放射線画像撮影装置２で撮影した放射線画像を確認するためのものである。携帯端末３の構成は、特に限定されるものでは無いが、持ち運びができる市販のスマートフォンやタブレット端末等の携帯端末で構成するのが好ましい。
携帯端末３は、一又は複数の放射線画像撮影装置２と通信可能に接続可能となっており、放射線画像撮影装置２から受信した画像データに基づく表示用画像を表示可能となっている。
なお、この携帯端末３の詳細については後述する。
【００１４】
〔放射線画像撮影装置の構成〕
次に、上記放射線画像撮影システム１００を構成する放射線画像撮影装置２の詳細について説明する。図２は、放射線画像撮影装置２のブロック図である。
放射線画像撮影装置２は、図２に示したように、制御部２１や、放射線検知部２２、読み出し部２３、通信部２４、記憶部２５等を備えて構成されており、各部２１〜２５はバス２６によって接続されている。また、図示しない内蔵電源から各部２１〜２５へ電力が供給されるようになっている。
【００１５】
制御部２１は、ＣＰＵ、ＲＡＭ等で放射線画像撮影装置２の各部の動作を統括的に制御するように構成されている。具体的には、電源スイッチが入れられたことや、放射線照射装置１から所定の制御信号を受信したこと、放射線照射装置１から放射線を受けたこと等に基づいて、記憶部２５に記憶されている各種処理プログラムを読み出してＲＡＭに展開し、当該処理プログラムに従って各種処理を実行する。
【００１６】
放射線検知部２２は、放射線を受けることで放射線の線量に応じた量の電荷を発生させる複数の放射線検出素子が二次元状に配列された基板を有するものであればよく、従来公知のものを用いることができる。
すなわち、放射線画像撮影装置２は、シンチレーターを備え、シンチレーターが放射線を受けることで発した光を検知するいわゆる間接型のものであってもよいし、シンチレーター等を介さずに放射線を直接検知するいわゆる直接型のものであってもよい。
また、放射線画像撮影装置２は、放射線照射装置１からの信号に基づいて電荷の蓄積を開始する連携方式のものであってもよいし、放射線照射装置１からの信号なしに自ら放射線の照射を検知して電荷の蓄積を開始する非連携方式のものであっても良い。
【００１７】
読み出し部２３は、複数の放射線検出素子がそれぞれ発生させた電荷量を信号値として読み出し、各信号値に基づいて画像データを生成することが可能に構成されていればよく、従来公知のものを用いることができる。
【００１８】
通信部２４は、ネットワークインターフェース等により構成され、ＬＡＮ（Local Area Network）、ＷＡＮ（Wide Area Network）、インターネット等の通信ネットワークを介して接続された携帯端末３との間、あるいはＲＩＳやＰＡＣＳ等の外部システムとの間でデータの送受信を行う。
なお、ＮＦＣ等の通信インターフェース等を備え、例えば、近距離無線通信等を用いて、通信ネットワークから切り離された環境下でデータの送受信を行えるようにしてもよいし、外部システムと有線で接続してもよい。
また、通信部２４の他に図示しないメディアスロットやポート等を備え、ＵＳＢメモリー等の各種記憶媒体との間でデータを入出力するようにしてもよい。以下、外部システムと記憶媒体とを区別しない場合には、これらを併せて外部装置と称する場合がある。
【００１９】
記憶部２５は、ＨＤＤ（Hard Disk Drive）や半導体メモリー等により構成され、各種処理プログラム（各種画像処理プログラムや、ウェブサーバープログラム等）や、当該プログラムの実行に必要なパラメーター、ファイル等を記憶している。
また、記憶部２５は、読み出し部２３が生成した画像データを記憶することが可能であるとともに、撮影オーダー情報（撮影対象の患者情報、撮影部位、撮影方向、各種撮影条件等）を画像データに紐づけて記憶しておくことが可能となっている。
なお、撮影時のコメント等を画像データと紐付けて記憶するようにしてもよい。
【００２０】
このように構成された放射線画像撮影装置２の制御部２１は、記憶部２５に記憶されている処理プログラムに従って以下のような動作をする。
例えば、制御部２１は、通信部２４を用いて、携帯端末３や外部装置から撮影オーダー情報を受信したり、携帯端末３から画像データの調整内容を受信したりすることが可能となっている。
また、制御部２１は、通信部２４を用いて、生成した画像データを携帯端末３や外部装置へ送信することが可能となっている。なお、画像データの出力は、画像データが生成され次第自動で行うようにしてもよいし、ネットワークへの接続されたこと、携帯端末３や外部装置との通信が可能となったこと、携帯端末３や外部装置から送信の要求を受けたこと等に基づいて行うようにしてもよい。また、画像データは分割して複数回に分けて出力するようにしてもよい。
また、制御部２１は、通信部２４を用いて、放射線画像撮影装置２のバッテリー残量や、無線通信の電波強度、名称やシリアル番号などの識別情報、撮影ステータス（準備中、撮影可能、処理中等、放射線検出可能か否かを表す情報）、撮影済み画像の保存枚数、空きデータ容量等を携帯端末３へ送信することが可能となっている。
制御部２１や通信部２４は、こうした動作を行うことにより、本発明における通信手段として機能する。
【００２１】
なお、通信部２４を用いるのではなく、記憶媒体によって外部に出力するようにしてもよい。その場合、制御部２１やメディアスロットが本発明における通信手段として機能することとなる。
また、制御部２１に、通信部２４を用いて、外部装置から一又は複数の過去画像データを取得する機能を持たせるようにしてもよい。過去画像データには、撮影条件（ｋＶ、ｍＡｓ、ＳＩＤ、グリッドの有無）や画像処理パラメーターが含まれる。
【００２２】
また、制御部２１は、自動で又は携帯端末３からの要求に応じて、読み出し部２３が生成したＲａｗ画像データに対して所定の画像処理を実行し、少なくとも１種類の処理済画像データを生成することが可能となっている。すなわち、制御部２１は、本発明における画像生成手段をなす。
ここで実行される画像処理は、大きく分けて補正処理と表示用画像処理がある。補正処理には、オフセット補正、ゲイン補正、欠陥補正、散乱線除去処理等がある。表示用画像処理には、ノイズ低減処理、周波数処理、階調処理、空間変換（回転／反転）等がある。このようにすれば、様々な表示用画像（簡易な処理を適用したプレビュー画像データやフル処理を適用した診断用画像データ）を生成することが可能となる。
【００２３】
なお、これらの画像補正機能を、放射線画像撮影装置２の代わりに携帯端末３や外部システムに持たせるようにしてもよい。
また、画像処理機能を放射線画像撮影装置２、携帯端末３、外部システムの内の２つ以上に持たせ、それぞれの処理性能や通信速度等に基づいて画像処理を実行する装置を決定するようにしてもよい。
更に、画像処理機能を放射線画像撮影装置２、携帯端末３、外部システムの内の２つ以上に持たせ、処理順序に依存性の無い複数の画像処理を、それぞれの装置に並行して実行させるようにしてもよい。
【００２４】
また、処理済画像データを記憶させる際には、制御部２１に、処理済画像データに処理を適用したパラメーターを含めるようにしてもよい。こうすることで、同じ画像データに対して再度画像処理を行う必要が生じたときに、迅速に処理を行うことができる。
また、処理済画像データのうち、処理コストが小さいものについては、記憶部２５に記憶せずに、処理に用いるパラメーターだけ記憶しておくようにしてもよい。これは、処理コストが大きいものと比べたときに、その都度画像処理を行ってもそれほど手間にならない場合があるためであり、このようにすれば、放射線画像撮影装置２の記憶部２５の容量を節約することができる。
【００２５】
〔携帯端末の構成〕
次に、上記放射線画像撮影システム１００を構成する携帯端末３の詳細について説明する。図３は携帯端末３の構成を表すブロック図であり、図４は携帯端末が表示する画面の一例である。
携帯端末３は、図３に示したように、制御部３１や、通信部３２、記憶部３３、表示部３４、操作部３５等を備えて構成されており、各部３１〜３５はバス３６により接続されている。また、図示しない内蔵電源から各部３１〜３５へ電力が供給されるようになっている。
【００２６】
制御部３１は、ＣＰＵ、ＲＡＭ等で携帯端末３の各部の動作を統括的に制御するように構成されている。具体的には、操作部３５から操作信号が入力されたことや放射線画像撮影装置２から各種信号やデータを受信したことに基づいて、記憶部３３に記憶されている各種処理プログラムを読み出してＲＡＭに展開し、当該処理プログラムに従って各種処理を実行したり、表示部３４の表示内容を制御したりする。
【００２７】
通信部３２は、ネットワークインターフェース等により構成され、ＬＡＮ（Local Area Network）、ＷＡＮ（Wide Area Network）、インターネット等の通信ネットワークを介して接続された外部システムとの間でデータの送受信を行う。
なお、ＮＦＣ等の通信インターフェース等を備え、例えば、近距離無線通信等を用いて、通信ネットワークから切り離された環境下でデータの送受信を行えるようにしてもよいし、外部システムと有線で接続してもよい。
【００２８】
記憶部３３は、ＨＤＤ（Hard Disk Drive）や半導体メモリー等により構成され、各種処理プログラム（システムプログラムやウェブブラウザ等のアプリケーションプログラム）、当該プログラムの実行に必要なパラメーターやデータ等を記憶している。
【００２９】
表示部３４は、ＬＣＤ等のモニターを備えて構成されており、制御部３１から入力される表示信号の指示に従って各種画面を表示する。
【００３０】
操作部３５は、各種キーを備えたキーボードやマウス等のポインティングデバイス、あるいは表示部３４に積層されたタッチパネルを備えて構成され、キーボードに対するキー操作やマウス操作、あるいはタッチパネルに対するタッチ操作の位置に応じて入力された操作信号を制御部３１に出力する。
【００３１】
このように構成された携帯端末３の制御部３１は、記憶部３３に記憶されている処理プログラムに従って以下のような動作をする。
例えば、制御部３１は、表示部３４に、例えば図４（ａ）に示したような、撮影オーダー情報のリスト画面Ｌや、図４（ｂ）に示したような、中央部に表示用画像Ｉの表示領域Ｒを有するメイン画面Ｍを表示させることが可能となっている。
また、制御部３１は、操作部３５に対する操作（入力操作や選択操作）を受け付け、その内容（入力又は選択された撮影オーダー情報や画像データの調整指示）を放射線画像撮影装置２へ送信することが可能となっている。
【００３２】
なお、リスト画面Ｌや、メイン画面Ｍ、そこに表示される表示用画像Ｉは、携帯端末３に別途インストールするコンソールアプリケーションによって表示されるものとしてもよいが、携帯端末３が元々有するブラウザで表示されるウェブコンテンツとするのが好ましい。ブラウザを用いると、一連の撮影操作の流れの中で、処理対象のデータと処理プログラムを送信するため、携帯端末３に対し、アプリケーション等の明示的なインストールが不要となる。その結果、特定の処理プログラムのみをため、コンソールアプリを全て送信する場合に比べ、処理プログラムの送信時間を短縮することができる。また、携帯端末３の故障・バッテリー切れ等が発生しても、他の一般的な携帯端末で代用することが可能となる。更に、コンソール４や放射線画像撮影装置２のプログラム等の更新に伴う携帯端末３のアプリケーション更新といったメンテナンスも不要となる。
【００３３】
また、処理プログラムもウェブコンテンツとし、携帯端末３へ送信することが可能である。その場合には、ウェブブラウザ上で実行可能なJavaScript（登録商標）やWebAssemblyの形式とすることが望ましい。
また、携帯端末３上で鳴動させる音声データや、アイコン画像、アニメーションデータ等をウェブコンテンツとしてもよい。
【００３４】
ブラウザで表示用画像Ｉを表示する場合、放射線画像撮影装置２をウェブサーバーとして機能させる必要があるので、放射線画像撮影装置２の記憶部２５には、ウェブサーバープログラムや、ウェブアプリケーションプログラム等を記憶させることになる。
また、ブラウザで表示用画像Ｉを表示する場合には、放射線画像撮影装置２が、携帯端末３からの要求に応じて、画像データから表示用画像Ｉのウェブコンテンツを生成し、それを携帯端末３に送信することとなる。この場合、制御部２１は、本発明におけるコンテンツ生成手段をなす。
【００３５】
また、放射線画像撮影装置２に、処理を適用したパラメーターを併せて記憶させる機能を持たせる場合には、過去画像からのパラメーターを自動で引き継ぐ場合と手動で調整する場合とで、オーバーレイ表示等の視認性を変えるようにしてもよい。
また、画像の調整を行う場合には、調整用パラメーターの現在値を表示するようにしてもよい。
【００３６】
また、放射線画像撮影装置２に、外部装置から過去画像データを取得する機能を持たせる場合には、その過去画像データに基づく過去画像を表示部３４に表示するようにしてもよい。また、このような場合、表示部３４に複数の過去画像の一覧を表示し、切替え可能できるようにしてもよい。
また、過去画像と合わせて過去の撮影条件や処理パラメーターを表示（オーバーレイ等）できるようにしてもよい。こうすることで、過去にどのような撮影を行ったのか参考にすることができる。
【００３７】
また、ウェブコンテンツにウェブブラウザ上で実行可能な処理プログラムを含めるようにする場合には、処理プログラムとして、放射線画像撮影装置２から受信した画像データに画像補正（ゲイン補正、オフセット補正、あるいは欠陥補正等）を行うための処理を含めるようにしてもよい。このようにすれば、放射線画像撮影装置２毎に生じる画像データの個体差を補正することができる。
また、処理プログラムに、一度取得した処理プログラムをウェブブラウザ内にキャッシュしたり、バージョンが異なる場合のみ処理プログラムを再取得したりする処理を含めるようにしてもよい。このようにすれば、同じ画像処理を行う場合に、処理プログラムの受信の必要がなくなるので、表示の迅速化の観点から好ましい。
【００３８】
また、処理プログラムに、処理の重要度や処理コストに応じて、実行する画像処理を一部省略する、もしくは一部の処理の実行を放射線画像撮影装置２に差し戻す処理を含めるようにしてもよい。このようにすれば、携帯端末３の制御部３１に過度の負担がかかるのを防ぐことができる。
また、処理プログラムに、ウェブブラウザ終了あるいは撮影終了の操作に基づいて、記憶部３３に記憶されている画像データやパラメーターを消去する処理を含めるようにしてもよい。このようにすれば、撮影終了後は、携帯端末３に患者の個人情報が残らなくなるので、セキュリティの観点から好ましい。
【００３９】
また、制御部３１に、オーダー情報を入力する際に、撮影部位、撮影方向、各種撮影条件、画像処理パラメーター等を組合せたマスター情報を生成し、記憶部３５に記憶させる機能を持たせるようにしてもよい。
また、このマスター情報を、携帯端末３で生成するのではなく、外部装置から取得する構成としてもよい。
また、マスター情報は、放射線画像撮影装置２の制御部２１で生成し、記憶部２５に記憶させるようにしてもよい。
【００４０】
〔放射線画像撮影システムの動作〕
次に、放射線画像撮影システム１００の動作について説明する。図５は本実施形態に係る放射線画像撮影システム１００を用いた放射線画像撮影から表示までの流れを表すラダーチャートである。
【００４１】
図５に示したように、まず、ユーザーが、検査の開始を指示すると（ステップＳ１）、携帯端末３が撮影オーダー情報の入力画面を表示する（ステップＳ２）。
入力画面をブラウザで表示する場合には、ステップＳ１の後、携帯端末３が入力画面のウェブコンテンツを要求する信号を放射線画像撮影装置２へ送信する（ステップＳ１ａ）。そして、放射線画像撮影装置２が入力画面のウェブコンテンツを作成し（ステップＳ１ｂ）、そのデータを携帯端末３へ送信する（ステップＳ１ｃ）ことで、入力画面の表示が開始される。
【００４２】
その後、ユーザーが、入力画面に撮影オーダー情報を入力すると（ステップＳ３）、携帯端末３が、入力された撮影オーダー情報を放射線画像撮影装置２へ送信する（ステップＳ４）。
その後、放射線画像撮影装置２が撮影オーダー情報を受信すると、撮影オーダー情報を記憶する（ステップＳ５）。
【００４３】
なお、上述したように、撮影部位、撮影方向、各種撮影条件、画像処理パラメーター等を組み合せたマスター情報を用いる構成とする場合には、ステップＳ４と並行又は前後して、マスター情報の生成・記憶を行ったり、外部装置から取得したりする。
放射線画像撮影装置２側でマスター情報を保持する場合は、携帯端末３で撮影メニューを選択する度に携帯端末３と放射線画像撮影装置２との間でデータのやり取りが発生し、画面の一部の更新や画面遷移が発生するが、携帯端末３に前述のマスター情報を保持すれば、携帯端末３で入力を簡易化するようなメイン画面Ｍを構成することができる。
【００４４】
その後、ユーザーが、撮影の開始を指示すると（ステップＳ６）、携帯端末３が、放射線画像撮影装置２へ、待機を要求する信号を送信する（ステップＳ７）。
その後、放射線画像撮影装置２が待機を要求する信号を受信すると、撮影が可能な状態で待機する（ステップＳ８）。
【００４５】
放射線画像撮影装置２が待機している状態で、ユーザーが入力画面に表示された、患者名や撮影オーダー情報等を確認し、撮影操作、すなわち曝射スイッチを押下すると（ステップＳ９）、放射線照射装置１が患者（放射線画像撮影装置２）へ放射線を照射し、放射線画像撮影装置２が撮影（画像データの生成）を行い（ステップＳ１０）、画像データを記憶部３３に記憶する（ステップＳ１１）。そして、その画像データを携帯端末３へ送信する（ステップＳ１３）。
その後、携帯端末３が画像データを受信すると、そのデータに基づいて表示用画像Ｉを表示する（ステップＳ１４）。
【００４６】
なお、放射線画像撮影装置２が画像処理機能を備えている場合には、ステップＳ１１に前後又は並行して画像処理を行う（ステップＳ１１ａ）。
また、表示用画像Ｉをブラウザで表示する場合には、ステップＳ１１又はステップＳ１１ａの後、表示用画像Ｉのウェブコンテンツを生成し（ステップＳ１１ｂ）、ステップＳ１３において、そのデータを携帯端末３へ送信することで、表示用画像Ｉの表示が開始される。
【００４７】
ステップＳ１４の後、ユーザーが携帯端末３に表示された撮影画像を確認し、撮影内容に問題があると判断した場合には、ユーザーが画像の調整を指示することになる（ステップＳ１４ａ）。すると、携帯端末３が、画像の調整内容を放射線画像撮影装置２へ送信する（ステップＳ１４ｂ）。
その後、放射線画像撮影装置２が調整内容を受信すると、画像データに調整を加えて調整済画像データを生成し（ステップＳ１４ｃ）、その調整済画像データを携帯端末２へ送信する（ステップＳ１４ｄ）。
その後、携帯端末３が調整済画像データを受信すると、それに基づいて調整済画像を表示する（ステップＳ１４ｅ）。
【００４８】
なお、調整済画像をブラウザで表示する場合には、ステップＳ１４ｃの後、調整済画像のウェブコンテンツを生成し（ステップＳ１４ｆ）、ステップＳ１４ｄにおいて、そのデータを携帯端末３へ送信することで、調整済画像の表示が開始される。
ここで、画像調整のように画像のみを変更する場合は、ウェブコンテンツ全体ではなく画像データのみを送信する構成としてもよい。
また、画像データの調節を携帯端末３で行うようにしてもよい。
【００４９】
ステップＳ１４又はステップＳ１４ｅの後、ユーザーが携帯端末３に表示された撮影画像を確認し、撮影内容に問題が無いと判断して、画像データの出力を指示すると（ステップＳ１５）、携帯端末３が画像データの出力を要求する信号を放射線画像撮影装置２へ送信する（ステップＳ１６）。
その後、放射線画像撮影装置２が画像データの出力を要求する信号を受信すると、画像データに必要な画像処理を加えて診断用画像データを生成する（ステップＳ１７）。
なお、各種画像をアプリケーションで表示する場合には、ステップＳ１６の後に、必要に応じて、記憶していた画像データを消去するようにする。
【００５０】
撮影後、ユーザーが放射線画像撮影装置２を外部装置に接続すると、放射線画像撮影装置２が、記憶している各種画像データを外部装置へ出力する（ステップＳ１８）。そして、外部装置が、画像データを保存する（ステップＳ１９）。こうして、一連の撮影が終了する。
【００５１】
（変形例）
なお、本実施形態に係る放射線画像撮影システムにおいては、撮影オーダー情報を携帯端末３から入力するのではなく、外部装置から入力するようにしたり、画像データの調整を携帯端末３で行ったりするようにしてもよい。
【００５２】
具体的には、放射線画像撮影装置２の記憶部２５に、複数の撮影オーダー情報からなる検査リストを記憶するための領域を設けるとともに、携帯端末２からの検査リストのウェブコンテンツの要求に基づいて、ＲＩＳ又は記憶媒体から検査リストのデータを取得する機能や、取得した検査リストに基づくウェブコンテンツを生成する機能を持たせる。
また、ウェブコンテンツに、ウェブブラウザ上で実行可能な画像処理プログラムを含める。
【００５３】
次に、オーダー情報を外部装置から取得したりこれらへ出力したりする場合の放射線画像撮影システム１００の動作について説明する。図６は本実施形態の変形例に係る放射線画像撮影システム１００を用いた放射線画像撮影から表示までの流れを表すラダーチャートである。
【００５４】
図６に示したように、まず、ユーザーが、検査の開始を指示すると（ステップＳ１）、携帯端末３が放射線画像撮影装置２に検査リストを表示するためのデータを要求する信号を送信する（ステップＳ２Ａ）。
その後、放射線画像撮影装置２が信号を受信すると、検査リストのデータを要求する信号をＲＩＳに送信する（ステップＳ２ａ）。
その後、ＲＩＳが信号を受信すると、検査リストのデータを放射線画像撮影装置２へ送信する（ステップＳ２ｂ）。
なお、ステップＳ２ｂの際に、検査リストに含まれる撮影オーダー情報に関連した過去データをＰＡＣＳ等から取得するようにしてもよい。
【００５５】
その後、放射線画像撮影装置２が検査リストのデータを受信すると、それを保存する（ステップＳ２ｃ）。そして、そのデータを携帯端末３へ送信する（ステップＳ３Ａ）。
その後、携帯端末３が検査リスト画面のデータを受信すると、そのデータに基づいて検査リストを表示する（ステップＳ４Ａ）。
なお、検査リストをブラウザで表示する場合には、ステップＳ２ｃの後、検査リストのウェブコンテンツを生成し（ステップＳ２ｄ）、ステップＳ３Ａにおいて、そのデータを携帯端末３へ送信することで、検査リストの表示が開始される。
【００５６】
その後、ユーザーが、検査リスト画面から撮影オーダー情報を選択すると（ステップＳ５Ａ）、携帯端末３が、選択された撮影オーダー情報を放射線画像撮影装置２へ送信し（ステップＳ６Ａ）、選択された撮影オーダー情報に対応するメイン画面を表示する（ステップＳ７Ａ）。
ステップＳ６Ａの後、放射線画像撮影装置２が信号を受信すると、対応する撮影オーダー情報を設定する（ステップＳ８Ａ）。
なお、メイン画面をブラウザで表示する場合には、ステップＳ６Ａにおいて、携帯端末３が、選択された撮影オーダー情報に対応するメイン画面のウェブコンテンツを要求する信号を放射線画像撮影装置２へ送信し、ステップＳ８Ａの後、放射線画像撮影装置２が検査リストのウェブコンテンツを生成し（ステップＳ８ａ）、そのデータを携帯端末３へ送信する（ステップＳ８ｂ）ことで、メイン画面の表示が開始される。
【００５７】
その後のステップＳ６からＳ１４までの流れは、上記実施形態と同様である。
ステップＳ１４の後、ユーザーが携帯端末３に表示された撮影画像を確認し、撮影内容に問題があると判断した場合には、上記実施形態と同様に、ユーザーが画像の調整を指示することになる（ステップＳ１４ａ）。本変形例では、画像調整を携帯端末３で行うようになっており、携帯端末３が、画像データに調整を加えて調整済画像データを生成し（ステップＳ１４ｇ）、それを表示する（ステップＳ１４ｅ）。なお、画像調整は、上記実施形態と同様の流れ（図５参照）で、放射線画像撮影装置２で行うようにしてもよい。
その後のステップＳ１５以降の流れは、上記実施形態と同様である。
【００５８】
以上のように、本実施形態の放射線画像撮影システム１００の放射線画像撮影装置２は、放射線を受けることで放射線の線量に応じた量の電荷を発生させる複数の放射線検出素子が二次元状に配列された基板を有する放射線検知部２２と、複数の放射線検出素子がそれぞれ発生させた電荷量を信号値として読み出し、各信号値に基づいて画像データを生成する読み出し部２３と、読み出し部２３が生成した画像データを記憶する記憶部２５と、記憶部２５に記憶された画像通信手段と、を備えることを特徴とするデータを携帯端末３（外部端末）へ送信することが可能であるとともに、外部システム又は記憶媒体（外部装置）へ送信することが可能な通信手段と、を備える。
【００５９】
こうすることで、撮影が行われると、表示用画像を含むウェブページが携帯端末３に表示される。すなわち、放射線画像撮影装置２がコンソールの代替機器となり、放射線画像撮影装置２と一般的な携帯端末３で撮影ワークフローを完結することができる。
また、携帯端末３は、ウェブブラウザを用い、放射線画像撮影装置２からウェブコンテンツのデータを受信して表示するため、携帯端末３に対してアプリケーション等の明示的なインストールが不要となる。その結果、携帯端末３の故障・バッテリー切れ等が発生しても、他の一般的な携帯端末で代用することが可能となるし、放射線画像撮影装置２のプログラム等の更新に伴う携帯端末３のアプリケーション更新といったメンテナンスも不要となる。
【符号の説明】
【００６０】
１００  放射線画像撮影システム
１  放射線照射装置
１１  ジェネレーター
１２  放射線源
１３  操作卓
２  放射線画像撮影装置
２１  制御部
２２  放射線検知部
２３  読み出し部
２４  通信部
２５  記憶部
２６  バス
３  携帯端末（外部端末）
３１  制御部（通信手段、コンテンツ生成手段）
３２  通信部（通信手段）
３３  記憶部
３４  表示部
３５  操作部
３６  バス
Ｘ  放射線
【図１】
2019017760.tif 000003
【図２】
2019017760.tif 000004
【図３】
2019017760.tif 000005
【図４】
2019017760.tif 000006
【図５】
2019017760.tif 000007
【図６】
2019017760.tif 000008